(57)【特許請求の範囲】
【請求項１】
軸筒の側壁に形成された窓孔内に配されたサイドノック部材を径方向に押圧することによって軸筒内長手方向に摺動可能に設けられた摺動子をスプリングの後方への付勢力に抗して前進させるサイドノック式筆記具において、サイドノック部材のガタツキ防止手段を上記軸筒の窓孔内に張出した取付部に備え、前記ガタツキ防止手段が、窓孔の後端縁から前方に張出したサイドノック部材取付部の両側部にそれぞれ形成された突起からなることを特徴とするサイドノック式筆記具の取付装置。
【請求項２】
前記突起の形状がサイドノック部材の直立壁の内面と点接触する半球形状である請求項１記載のサイドノック式筆記具の取付装置。
【請求項３】
前記サイドノック部材が押圧部とこの押圧部の両側にそれぞれ形成された直立壁とからなり、これらの直立壁間の内寸法（Ｌ１）が前記サイドノック部材取付部の突起頂部間の外寸法（Ｌ２）より小さく形成されてなる請求項２記載のサイドノック式筆記具の取付装置。
【請求項４】
前記サイドノック部材が、押圧部の底面から下方に向かって形成された複数の補強リブを備えてなる請求項１記載のサイドノック式筆記具の取付装置。
【発明の詳細な説明】
【０００１】
【発明の属する技術分野】
この発明は、サイドノック式筆記具の取付装置に係り、特にシャープペンシル、ボールペン等のサイドノック式筆記具のサイドノック部材のガタツキを防止する取付装置に関する。
【０００２】
【従来の技術】
従来、この種のサイドノック式筆記具においては、軸筒の側壁に形成された窓孔内に配された、サイドノック部材を軸筒の径方向押圧して筆記体出没機構を構成する摺動子を前進せしめて、筆記体を軸筒先端の開口部から出没せしめていた。
【０００３】
【発明が解決しようとする課題】
しかしながら、このようなサイドノック式筆記具では、軸筒の窓孔から抜け落ちないように、サイドノック部材の後端が窓孔の後端縁から前方に張出した取付部に枢着されているのみであった。従って、サイドノック部材の取付に遊びが生じてしまう結果、自重や筆記具の持ち運びによりサイドノック部材が移動してガタツクことがあった。特に、サイドノック式筆記具のノック部材は、筆記中に軸筒の握りを変えることなくノック操作が簡単に出来るように軸本体のグリップ部分またはその近傍に配されているので、筆記中このガタツキが気になり、実際上筆記に支障が生じていた。
【０００４】
そこでこの発明は、上記従来の欠点を解消したものであって、サイドノック式筆記具のサイドノック部材が取り付けられる軸筒の窓孔内の取付部を改良して、サイドノック部材のガタツキを防止することによって、ノック操作を確実に行うことを可能とするとともに、筆記中もガタツキを気にすることなく、快適に筆記出来るサイドノック式筆記具の取付装置を提供することを目的とするものである。
【０００５】
【課題を解決するための手段】
上記目的を達成するために、この発明のサイドノック式筆記具の取付装置は、軸筒の側壁に形成された窓孔内に配されたサイドノック部材を径方向に押圧することによって軸筒内長手方向に摺動可能に設けられた摺動子をスプリングの後方への付勢力に抗して前進させるサイドノック式筆記具において、サイドノック部材のガタツキ防止手段を上記軸筒の窓孔内に張出した取付部に備え、前記ガタツキ防止手段が、窓孔の後端縁から前方に張出したサイドノック部材取付部の両側部にそれぞれ形成された突起からなることを特徴とする。
【０００６】
【発明の実施の形態】
以下、添付の図面を用いて、この発明のサイドノック式筆記具の取付装置の一実施の形態を詳細に説明する。
図１は、この発明による取付装置が用いられている軸筒を示す平面図である。この軸筒１は、シャープペンシル、ボールペン等の中空の筆記具本体を成すものであって、前部の小径部１１と後部の大径部１２とから構成されている。
【０００７】
そして、この前部の小径部１１の先端外周には後述する先具９が螺合するおねじ１１１が形成されている。また、後部の大径部１２の側壁には長手方向に長方形の窓孔２が穿設されていて、この窓孔２の両側の軸筒１の肉厚部１３は図示の形状に面取りされている。
【０００８】
次に、サイドノック部材３が取り付けられる軸筒１の取付部１４の構成を図２および図３の拡大図を用いて詳細に説明する。軸筒１のグリップ部分には長手方向に窓孔２が形成されている。この窓孔２を利用してサイドノック操作がなされる。即ち、窓孔２の後端縁から前方に向かってサイドノック部材３が取り付けられる取付部１４が延出している。
【０００９】
そして、この取付部１４は図３から明らかなように、前端角部に段差部１５が形成されている。さらに、この段差部１５から筆記具の前方に向かって上部が下降している先端部１６が形成されている。なお、この先端部１６の両側壁には側方へ突出する小突起（ダボ）１７が夫々形成されている。
【００１０】
そして、この小突起１７の形状がサイドノック部材３の直立壁３１の内面と点接触する半球形状であることが好適である。蓋し、サイドノック部材３の取付に際して、この小突起１７の形状によって二股の直立壁３１が容易に押し広げられて簡単に取り付けられるからである。
【００１１】
次に、サイドノック部材３の構造について図４〜図７を用いて説明する。このサイドノック部材３は、長手方向に細長い二股の構造を有し、ノックし易いようにその操作面である押圧部３２は後方に向かって緩やかに下降している斜面部３３からなり、かつ前部角部３４が弧状に形成されてなる。そして、二股の直立壁３１の後端縁には枢着用の切欠き３５が形成されている。
【００１２】
さらに、このサイドノック部材３の直立壁３１の下端縁から側方に突条３６がそれぞれ設けられている。この突条３６は軸筒１に取り付けられた時の抜け止めとして作用すると共に、ノック操作に際してはサイドノック部材３の直立壁３１の下端面が後述する摺動子４の傾斜部４１の上面を確実に摺動する機能を有する。また、図７から明らかなように操作面である押圧部３２から下方に向かって複数のリブ３７が形成されている。
【００１３】
そこで、このようなサイドノック部材３を軸筒１に取り付けるためには、サイドノック部材３の直立壁３１をつまんで内方に加圧してその間隔をやや幅狭にすると共に、後端の切欠き３５を軸筒１の窓孔２の取付部１４に係合せしめて枢着した後、サイドノック部材３の前部を軸筒１内に押し込むことによって容易に軸筒１に装着することが出来る。
【００１４】
この装着の際、サイドノック部材３の直立壁３１間の内寸法（図５のＬ１）が両小突起１７間の外寸法（図２のＬ２）よりもやや小さく形成されているので小突起１７によって直立壁３１が外方にやや付勢されて拡開された状態で取り付けられる。従って、その後持ち運び等の移動に際しても、サイドノック部材３が自由に移動してガタツクことがない。
【００１５】
より詳しく述べると、前記したようにサイドノック部材３が押圧部３２とこの押圧部３２の両側にそれぞれ形成された直立壁３１とからなり、これらの直立壁３１の間隔である内寸法（Ｌ１）が前記サイドノック部材３が取り付けられる軸筒１の取付部１４の最大幅である外寸法（Ｌ２）より小さく形成されてなる。具体的には、サイドノック部材３の直立壁３１間の内寸法を４．３０ｍｍとすると、上記小突起２４のある部分の外寸法を４．６０ｍｍとすれば好適な嵌合度が得られる。
【００１６】
さらに、図８はこの発明の取付装置が設けられたサイドノック式シャープペンシルの縦断面図であり、図９はそのノック部の横断面図である。これらの図はノックされていない状態、即ちサイドノック部材３が軸筒１に関して最高部位にある状態を示している。図において、軸筒１の前部には先端に開口が形成され、かつこの開口から突出して先端チップが設けられている。
【００１７】
なお、図から明らかなようにサイドノック部材３が窓孔２を介して軸筒１の取付部１４に枢着されると、丁度これらの小突起１７が二股のサイドノック部材３の直立壁３１の内側を外方向にそれぞれ付勢した状態で取り付けられることになる。従って、サイドノック部材３は常時適度の側方への圧力が加えられているのでノック操作中は勿論のこと、筆記の有無にかかわらず、サイドノック部材３の移動によるガタツキが防止される。
【００１８】
この軸筒１は前述したように、前部の小径部１１と後部の大径部１２とからなる。そして、小径部１１の先端外周には先具９と螺合するためのおねじ１１１が形成されている。なお、このおねじ１１１に隣接してグリップカバーのずれ止めのための環状突部が形成されている。さらに、小径部１１の後部内側から大径部１２の内側にわたって後述する摺動子４の回り止めとなるガイドリブ１８が形成されている。
【００１９】
また、上述したように軸筒１の中間部側壁には、縦長の窓孔２が形成されて、この窓孔２の後端縁にはサイドノック部材３が枢着されている。そして、このサイドノック部材３に対応して軸筒１内には長手方向に中空の摺動子４が設けられている。即ち、この摺動子４の側壁には上記サイドノック部材３の前端に従動する傾斜部４１が一体的に形成されている。
【００２０】
さらに、この傾斜部４１の側壁には軸筒１の内壁に形成されたガイドリブ１８と係合するガイド溝４２が形成されており、摺動子４の後端部は後方に開口した大径の漏斗状誘導部４３が形成されている。なお、この誘導部４３は筆記芯が補充される時に芯が摺動子４内に容易に導入されるように作用する。
【００２１】
次に、軸筒１の後部について述べると、軸筒１の内壁と摺動子４の誘導部４３の間には嵌合筒５が取り付けられている。即ち、この嵌合筒５は、後部内壁の長手方向に複数の係合突片部５１が設けられている。そして、これらの係合突片部５１の先端は誘導用の鋭利部が夫々形成されている。
【００２２】
さらに、嵌合筒５の内部中間部には嵌合突起５２が形成されており、後部外壁には先端が尖った嵌合リブが形成されている。そして、この嵌合筒５内にはクリップ６１付きの筒状体６が着脱可能に設けられている。
【００２３】
即ち、この筒状体６は、前端が閉塞され後端が開口しかつこの開口部内周に消しゴム取り付け用の受け部が形成されて、消しゴムが取り付けられている。さらに、中間部外壁には嵌合筒５の内部中間部の嵌合突起５２と嵌合可能な嵌合溝が形成されている。
【００２４】
以下、上記実施の形態による取付装置を用いたサイドノック式シャープペンシルの動作について説明する。
まず、ノック操作部材３を径方向にノックすると先端下端部が摺動子４の傾斜部４２に作用する。この時、傾斜部４２は後方に向かって下降しているので摺動子４が、スプリング７の後方へ付勢力に抗して前方に押し出される。
【００２５】
このノック過程で、摺動子４の前端に設けられたチャック８に遊嵌されたチャックリングが先具９の内筒部の内側段差部に当接して、チャック８から外れチャック部が開放されて筆記芯が先端チップ方向に繰り出される。そして、ノックを繰り返すと、芯は先端から突出せしめられ、ノックを終えるとチャック８は付勢されて後退して初期位置に戻るが、この後退過程でチャック８にチャックリングが係合してチャック８が閉成されるので筆記芯はチャック８に保持されて筆記可能な状態になる。
【００２６】
このようなノック操作中もサイドノック部材３の直立壁３１は、取付部１４の側壁に形成された小突起１７によって外方に付勢されているのでガタツキが全くなく、筆記中や携帯中等も同様である。
【００２７】
なお、上記実施の形態はシャープペンシルについて述べたが、この発明はこれに限られることなく、サイドノック式ボールペン等のサイドノック部材３が用いられる他の筆記具にも適用されることは勿論である。
【００２８】
【発明の効果】
この発明のサイドノック式筆記具の取付装置は、上記した通りの構成であるから、構造が極めて簡単でかつサイドノック部材の取付も容易であり、さらに携帯時も取扱上も、サイドノック部材のガタツキを防止し、異音を発することなく、ノック操作も確実に行うことが可能で、筆記する上にも良好な効果を得ることができる。
【図面の簡単な説明】
【図１】この発明の実施の形態によるサイドノック式筆記具の取付装置を示す軸筒の平面図である。
【図２】図１の軸筒の窓孔後部の拡大平面図である。
【図３】図２の軸筒の窓孔後部の縦断面図である。
【図４】図１のサイドノック部材の拡大側面図である。
【図５】図４のサイドノック部材の正面図である。
【図６】図４のサイドノック部材の背面図である。
【図７】図４のサイドノック部材の縦断面図である。
【図８】図１のサイドノック式筆記具の取付装置が用いられているシャープペンシルの縦断面図である。
【図９】図８のノック部を示す横断面図である。
【符号の説明】
１  軸筒
２  窓孔
３  サイドノック部材
４  摺動子
５  嵌合筒
６  筒状体
７  スプリング
８  チャック
９  先具
【図１】
0004278837.tif 000002
【図２】
0004278837.tif 000003
【図３】
0004278837.tif 000004
【図４】
0004278837.tif 000005
【図５】
0004278837.tif 000006
【図６】
0004278837.tif 000007
【図７】
0004278837.tif 000008
【図８】
0004278837.tif 000009
【図９】
0004278837.tif 000010